(57)【要約】【課題】背もたれに沿って起立した状態で長取っ手を格納できるポータブルトイレの利点を継承しつつ格納状態の長取っ手の上端が背もたれから突出するのを防止する。【解決手段】ポータブルトイレ100に組み込まれる左右一対の取っ手部材110は、長尺の木片112と、前後に離置した短い第１、第２の短尺木片114,116とを有し、後側短尺木片116の下端の透孔122は左右の取っ手部材110のピボット軸124を構成する。取っ手部材110を揺動させて長尺木片112を倒すことで、長尺木片112は「長取っ手」として機能する。また、前側の短尺木片114が、長取っ手の支持部材として機能する。他方、長尺木片112が格納姿勢のときは、前側の短尺木片114が「短取っ手」として機能する。【選択図】図3
2011087927.tif 000002
【特許請求の範囲】
【請求項１】
便座の両側に、便座の前後長さによりも短い短取っ手と、便座の前後長さと略等しいかそれよりも長い長取っ手とを備え、前記長取っ手が背もたれに沿って起立した格納姿勢をとることのできるポータブルトイレにおいて、
前記長取っ手の揺動中心が、前記短取っ手の高さ位置よりも低位であり且つ前記背もたれよりも前方の位置に位置決めされていることを特徴とするポータブルトイレ。
【請求項２】
便座の各側に短取っ手と長取っ手とを有するポータブルトイレであって、
前記短取っ手の機能と前記長取っ手の機能とを備えた取っ手部材と、
前記ポータブルトイレの座部を構成する座部躯体構造の前後方向中間部分に前記取っ手部材を揺動可能に軸支するピボット軸とを有し、
前記取っ手部材が、前記長取っ手が水平位置になる長取っ手態様と、該長取っ手が前記ポータブルトイレの背もたれに沿って起立した格納態様とをとることができることを特徴するポータブルトイレ。
【請求項３】
前記長取っ手は、前記取っ手部材が前記長取っ手態様をとったときに、前記長取っ手の前端が前記便座の前端よりも前方に突出する長さ寸法を有する、請求項２に記載のポータブルトイレ。
【請求項４】
前記長取っ手は、前記取っ手部材が前記長取っ手態様をとったときに、前記長取っ手の前端が前記便座の前端と略等しい長さ寸法を有する、請求項２に記載のポータブルトイレ。
【請求項５】
前記取っ手部材と前記座部躯体構造との間にスペーサが介装され、該スペーサを介して前記取っ手部材が前記座部躯体構造に対して前記ピボット軸によって軸支されている、請求項２〜４のいずれか一項に記載のポータブルトイレ。
【請求項６】
前記取っ手部材が前記長取っ手と該長取っ手の長手方向中間部分から下方且つ斜め後方に延びるリンク部材を有し、
該リンク部材の下端部が前記ピボット軸によって前記座部躯体構造に軸支され、
前記取っ手部材が前記格納態様をとったときに、前記リンク部材によって前記背もたれから斜め前方に延びる前記短取っ手として機能する、請求項２〜５のいずれか一項に記載のポータブルトイレ。
【請求項７】
取っ手部材が、その前記格納姿勢及び前記長取っ手態様のいずれの態様であっても、使用者の臀部を目隠しする目隠しボードを有する、請求項２〜６のいずれか一項に記載のポータブルトイレ。
【発明の詳細な説明】
【技術分野】
【０００１】
本発明は、一般的にはポータブルトイレに関し、より詳しくは、ベッドの脇に置いて使用者が自力で又は介助者の手を借りてポータブルトイレに移乗して用を足すのに好都合な自立支援介護用品としてのポータブルトイレに関する。
【背景技術】
【０００２】
ベッドの脇で使用するのが好適なポータブルトイレとして、長短の左右の取っ手を備えた椅子型のポータブルトイレが普及している（特許文献１、２）。この種のポータブルトイレは、一方の取っ手が便座の側縁の全長よりも短いため（短取っ手）、この短取っ手の前方の空間を使って使用者が自力で又は介助者の手を借りてベッドサイドから座位姿勢でポータブルトイレの便座に移乗できるという利点があり、自立支援介護用品として注目されている。
【０００３】
特許文献１のポータブルトイレは、ベッドサイドから遠い側の取っ手の長さが便座の側縁の全長よりも長く、ポータブルトイレの前方に突出した長さ寸法に設定されている。後に説明する特許文献２との違いを明確にするために、この特許文献１のポータブルトイレを「前方突出取っ手」タイプと呼ぶこととし、また、長取っ手を「前方突出取っ手」と呼ぶことにする。この前方突出取っ手タイプのポータブルトイレは、使用者が、前方突出取っ手の前端を支えに前屈みの姿勢から重心移動するのに都合が良いという利点がある。
【０００４】
特許文献２は、ベッドサイドから遠い側の取っ手の長さが便座の側縁の全長とほぼ等しい長さ寸法に設定されたポータブルトイレを開示している。特許文献２のポータブルトイレを「肘掛け取っ手」タイプと呼ぶこととし、また、長取っ手を「肘掛け取っ手」と呼ぶことにする。この肘掛け取っ手タイプのポータブルトイレのなかには、肘掛け取っ手を上に跳ね上げることのできる格納式ポータブルトイレが出現している。
【０００５】
この従来例の概要を示したのが図１２である。図１２を参照して、参照符号Ｈはベッドサイドの高さレベルを示し、このベッドサイドの高さレベルＨと略一致するように便座２の高さ位置を調整することができる。従来の跳ね上げ式ポータブルトイレは、左右一対の肘掛け取っ手３と、左右一対の短取っ手４とを有し、各肘掛け取っ手３は、その基端３ａを中心に揺動可能である。肘掛け取っ手３の揺動中心を参照符号５で示す。肘掛け取っ手３は背もたれ６に沿って起立した起立姿勢（仮想線で図示した姿勢）と、傾倒した水平姿勢（実線で図示の状態）とを取ることができ、水平姿勢では、肘掛け取っ手３は短取っ手４の上に乗った状態で短取っ手４によって支持される。
【０００６】
上記の従来例のポータブルトイレは、肘掛け取っ手３を跳ね上げて起立姿勢を取らせることで、既に存在しているところの短取っ手４が出現する。このことから、ベッドサイドにポータブルトイレを設置するときに、使用者にとって都合の良い側の肘掛け取っ手３を跳ね上げて起立姿勢（格納姿勢）を取らせることで長短の取っ手を備えたポータブルトイレに変身させることができる。
【０００７】
また、使用者が着座した後に、例えば起立姿勢の肘掛け取っ手３を倒すことで、左右両側に肘掛け取っ手３を備えたポータブルトイレに変身させることができ、使用者は左右の肘掛け取っ手３を肘掛けとして利用することができる。
【先行技術文献】
【特許文献】
【０００８】
【特許文献１】特公平５−３８６１９号公報
【特許文献２】特開２００８−１０４８３３号公報
【発明の概要】
【発明が解決しようとする課題】
【０００９】
ベッドサイド型ポータブルトイレの適用例は、これを使用する者（患者）に残存している身体機能や身体能力によって次の類型に大別して考えることができる。
（１）介助者の手によって使用者をベッドサイドに座らせ、そして、介助者の手助けによって、使用者を座位姿勢のままポータブルトイレに移乗させる（全介助）。
【００１０】
（２）使用者が自力でベッドサイドに座った姿勢をとり、そして使用者の臀部を自力で横移動させることで、ポータブルトイレに移乗することができる。
（３）使用者が起立又は着座するときに長取っ手の前端に手を置いて、この長取っ手を支えに自力で起立又は着座することができる。なお、この長取っ手が前方突出取っ手の場合（引用文献１）には、前方突出取っ手の前端を支えに前屈みの姿勢から重心移動することができるという利点がある。
【００１１】
図１２を参照して、跳ね上げ式の肘掛け取っ手３を備えたポータブルトイレは、格納状態の肘掛け取っ手３つまり起立姿勢の肘掛け取っ手３の上端部分が背もたれ６から上方に大きく突出した状態になる。この背もたれ６から上方に突出する肘掛け取っ手３の存在は、使用者の身の回りを世話する介助者にとって邪魔であり、特に、ポータブルトイレの後方から使用者を世話するときに介助の障害物になり易い。
【００１２】
そこで、本発明の目的は、背もたれに沿って起立した状態で長取っ手を格納できるポータブルトイレの利点を継承しつつ格納状態の長取っ手の上端が背もたれから大きく突出してしまうことのないポータブルトイレを提供することにある。
【００１３】
本発明の更なる目的は、便座の側縁の全長よりも長い前方突出取っ手を背もたれに沿って起立した状態で格納しても、この前方突出取っ手の上端が背もたれから上方に突出しないポータブルトイレを提供することにある。
【００１４】
本発明の更なる目的は、背もたれに沿って起立した状態で長取っ手を格納できるポータブルトイレの利点を継承しつつ長取っ手を背もたれに沿って起立した状態で格納したときには、この長取っ手が短取っ手に変化するポータブルトイレを提供することにある。
【課題を解決するための手段】
【００１５】
上記の技術的課題は、本発明によれば、
便座の両側に、便座の前後長さによりも短い短取っ手と、便座の前後長さと略等しいかそれよりも長い長取っ手とを備え、前記長取っ手が背もたれに沿って起立した格納姿勢をとることのできるポータブルトイレを前提として、
前記長取っ手の揺動中心が、前記短取っ手の高さ位置よりも低位であり且つ前記背もたれよりも前方の位置に位置決めされていることを特徴とするポータブルトイレを提供することによって達成される。
【００１６】
長取っ手の揺動中心を前記短取っ手の高さ位置よりも低位であり且つ前記背もたれよりも前方の位置に位置決めすることにより、長取っ手が背もたれに沿って起立した格納姿勢をとったときに、長取っ手の上端の高さ位置を従来に比べて低位にすることができる。ここに、長取っ手は、便座の前後長さと実質的に等しい「肘掛け取っ手」に限られず、便座の前後長さよりも長い長取っ手つまり便座の前端から前方に突出した「前方突出取っ手」であってもよい。
【００１７】
本発明の好ましい実施の形態のポータブルトイレは、
便座の各側に位置する短取っ手の機能と長取っ手の機能とを備えた取っ手部材と、
前記ポータブルトイレの座部を構成する座部躯体構造の前後方向中間部分に前記取っ手部材を揺動可能に軸支するピボット軸とを有し、
前記取っ手部材が、前記長取っ手が水平位置になる長取っ手態様と、該長取っ手が前記ポータブルトイレの背もたれに沿って起立した格納態様とをとることができる。
【００１８】
この実施形態によれば、座部躯体構造に揺動可能に取り付けられた取っ手部材は、これを揺動させて、取っ手部材を格納姿勢に位置決めしたときには短取っ手として機能し、また、長取っ手態様に位置決めしたときには長取っ手として機能する。
【００１９】
本発明の他の目的、作用効果は、以下の本発明の好ましい実施形態の詳しい説明から明らかになろう。
【図面の簡単な説明】
【００２０】
【図１】第１実施例のポータブルトイレの斜視図である。
【図２】第１実施例のポータブルトイレに組み込まれる取っ手部材の斜視図である。
【図３】前方突出長取っ手として機能する第１実施例のポータブルトイレの取っ手部材の動作と、これに伴う機能の変化を説明するための図である。
【図４】肘掛け取っ手として機能する変形例の取っ手部材を組み込んだポータブルトイレの取っ手部材の動作と、これに伴う機能の変化を説明するための図である。
【図５】変形例として、短取っ手と長取っ手とが別体構造のポータブルトイレの基本構成を説明するための図である。
【図６】第２実施例のポータブルトイレを斜め前方から見た斜視図である、取っ手部材を倒した状態の図である。
【図７】図６に図示のポータブルトイレの側面図である。
【図８】取っ手部材を位置固定するためにポータブルトイレのピボット固定具の構造を説明するための図である。
【図９】図６と同様に第２実施例のポータブルトイレを斜め前方から見た斜視図であるが、取っ手部材が格納状態の図である。
【図１０】図９に図示のポータブルトイレの側面図である。
【図１１】第２実施例の変形例のポータブルトイレの側面図であり、取っ手部材が格納状態の図である。
【図１２】従来の肘掛け取っ手型ポータブルトイレの機能を説明するための図である。
【発明を実施するための形態】
【実施例】
【００２１】
以下に、添付の図面に基づいて本発明の好ましい実施例を説明する。
【００２２】
第１実施例（図１〜図５）：
図１は第１実施例のポータブルトイレの斜視図である。図１を参照して、第１実施例のポータブルトイレ１００は、従来と同様に、左右合計４本の脚１０２と、便座１０４と、背もたれ１０６とを有する椅子の形態を有している。
【００２３】
ポータブルトイレ１００の座部の躯体構造を説明すると、左側及び右側の前後の脚１０２ａ、１０２ｂは、横片１０２ｃによって側面視Ｈ状の一体構造であり、この横片１０２ｃに植設されたボルト（図示せず）が、座部側壁ボード１０８の長孔１０８ａに挿通されており、このボルトに螺着するナット部材（図示せず）を締め付けることにより前後の脚１０２ａ、１０２ｂを座部側壁ボード１０８に固定することができる。そして、座部側壁ボード１０８の長孔１０８ａは上下に延在しており、この長孔１０８ａによって脚１０２ａ、１０２ｂの実質的な長さを調整して、便座１０４の高さ位置をベッドサイドの高さレベルＨに略一致させることができる。
【００２４】
第１実施例のポータブルトイレ１００は、上述した座部の躯体構造は木材で構成されている。この種のポータブルトイレは「家具調トイレ」と呼ばれている。便座１０４の下つまり左右の座部側壁ボード１０８で囲まれた空間には、従来と同様に、排泄物を受け止めるバケツ（図示せず）が収容される。
【００２５】
便座１０４は、平面視したときに、矩形の外形形状を有しており、便座１０４の幅Ｗは、左右の座部側壁ボード１０８、１０８の間の離間距離にほぼ等しい。
【００２６】
図２は、ポータブルトイレ１００に組み込まれる左右一対の取っ手部材１１０を示す。取っ手部材１１０は、前後方向に延びる長尺の木片１１２と、前後に離置した比較的短い前側の第１の木片１１４と後側の第２の木片１１６とを有し、この第１、第２の短尺木片１１４、１１６の上端が長尺木片１１２の長手方向中央部分に直交した状態で固定されている。第１、第２の短尺木片１１４、１１６の下端部は、好ましくは、前後方向に延びる補強用木片１１８によって互いに連結される。この補強用木片１１８は、第１、第２の短尺木片１１４、１１６に対する補強材としての機能に止まらず、ベッドに横たわっている使用者（患者）が横向き姿勢になるときに使用可能な取っ手としての機能も有している。
【００２７】
後の説明から明らかになるように、後側の短尺木片１１６はリンク部材として機能し、そして、長尺木片１１２は「長取っ手」として機能し、前側の短尺木片１１４は「短取っ手」として機能する。図２から最も良く分かるように、長尺木片１１２の後端には第１の透孔１２０が形成されている。この第１の透孔１２０には、後に説明するハンドルノブ（図１の参照符号１２６）を備えたボルトが挿通される。また、第２（後側）の短尺木片１１６の下端には第２の透孔１２２が形成されている。この後側短尺木片１１６の第２の透孔１２２は左右の取っ手部材１１０の揺動中心（ピボット軸）１２４を構成するものである。
【００２８】
図１に戻って、取っ手部材１１０は、第２（後側）の短尺木片１１６の第２の透孔１２２を利用して、この第２の透孔１２２にピボット軸を構成するボルト（図示せず）などを使って、座部躯体構造の例えば、対応する各座部側壁ボード１０８の上端部且つ前後方向中央部分に連結される。
【００２９】
上記の構成により、取っ手部材１１０は第２の透孔１２２を中心に揺動可能である。図１の図面の奥に位置する右側取っ手部材１１０Ａは、長尺木片１１２が水平に延びており、この長尺木片１１２は、便座１０４の前端から前方に突出する長さ寸法を有している。他方、図１の手前に位置する左側取っ手部材１１０Ｂは、長尺木片１１２が起立した状態にある。当業者であれば、図１を見ると直ちに理解できるように、右側取っ手部材１１０Ａは、長尺木片１１２によって「前方突出取っ手」として機能する。他方、左側取っ手部材１１０Ｂは第１（前側）短尺木片１１４によって「短取っ手」として機能し、この短取っ手の態様では、長尺木材１１２が背もたれ１０６に沿って起立した格納位置を取る。
【００３０】
取っ手部材１１０の後端の第１の透孔１２０には、ハンドルノブ１２６を備えたボルトが挿通される。そして、このハンドルノブ１２６を操作することで、長取っ手態様及び短取っ手態様の双方の態様で、取っ手部材１１０を位置固定することができる。
【００３１】
具体的に説明すると、背もたれ１０６は、その両側に位置して背もたれの骨格を構成する左右の背もたれ支柱１２８を有し、この背もたれ支柱１２８の上下方向中央部分にナット付きの透孔が形成されている。また、座部側壁ボード１０８の後端部分にナット付きの透孔が形成されている。このナット付きの透孔は作図上の関係から図面に現れていない。
【００３２】
取っ手部材１１０の長尺木片１１２を起立させて背もたれ１０６に沿って上下に延びる格納状態にすると、この長尺木片１１２の下端に位置する第１の透孔１２０（ハンドルノブ１２６を備えたボルト）が、座部側壁ボード１０８の後端部のナット付き透孔と整合し、そして、ハンドルノブ１２６を操作することで、ボルトナットの螺合によって起立状態の長尺木片１１２の下端を座部側壁ボード１０８に固定することができる。この態様が、前述した短取っ手態様であり、第１（前側）短尺木片１１４が「短取っ手」として機能する。
【００３３】
取っ手部材１１０の長尺木片１１２を倒した状態にすると、この長尺木片１１２の後端に位置する第１の透孔１２０（ハンドルノブ１２６を備えたボルト）が、背もたれ支柱１２８のナット付き透孔と整合し、そして、ハンドルノブ１２６を操作することで、ボルトナットの螺合によって水平状態の長尺木片１１２の後端を背もたれ支柱１２８の上下方向中央部分に固定することができる。この態様が、前述した「長取っ手態様」であり、長尺木片１１２が「前方突出取っ手」として機能する。
【００３４】
上述したハンドルノブ１２６に植設されたボルトを使った取っ手部材１１０の位置固定に関し、必要であれば、背もたれ支柱１２８のナット付き透孔の部位を、別途用意した補強部材を使って補強してもよい。
【００３５】
長取っ手態様では、背もたれ１０６の上下方向中央部分から前方に且つ水平方向に延びる長尺木片１１２は、この長尺木片１１２から直角に垂下する前側短尺木片１１４及び後側短尺木片１１６によって支持された状態となる。特に、前側短尺木片１１４は、その下端が座部側壁ボード１０８の上端面に着座した状態で長尺木片１１２を支持する。なお、この実施例では、次に説明するトランスファー部材１３２が座部側壁ボード１０８の上に取り付けられているため、前側短尺木片１１４の下端はトランスファー部材１３２の上に着座した状態で長尺木片１１２を支持する。
【００３６】
第１実施例のポータブルトイレ１００は、また、便座１０４の両側に位置する座部側壁ボード１０８の水平な上端面において、後側短尺木片１１６の前方に、平面視長方形のトランスファー部材１３２が配設されている。トランスファー部材１３２は、便座１０４の前部の側方位置に位置している。具体的には、トランスファー部材１３２は、後側短尺木片１１６に隣接した位置から便座１０４の前端縁に対応する位置まで延びる長さ寸法を備えている。このトランスファー部材１３２は、便座１０４とベッドサイドとの間の隙間を埋めるものであり、トランスファー部材１３２は、その上面の高さ位置が便座１０４の上面と略同じ高さ位置となるように設定されている。
【００３７】
便座１０４とベッドサイドとの間のギャップをトランスファー部材１３２によって埋めることができるため、トランスファー部材１３２の上を使用者が座位姿勢のまま臀部を横に滑らせてベッドサイドからポータブルトイレ１００にギャップを感じることなく楽に移乗でき、同様に、ポータブルトイレ１００からベッドサイドに楽に移乗することができる。
【００３８】
図３を参照して、第１実施例のポータブルトイレ１００によれば、取っ手部材１１０の揺動中心１２４（図２）が、背もたれ１０６よりも前方且つ長取っ手又は短取っ手の高さ位置よりも低位に位置決めされているため、「前方突出取っ手」として機能する長尺木片１１２を背もたれに沿って起立した格納姿勢にしたとしても、この長尺木片１１２が背もたれ１０６の上端から上方に突出してしまうのを防止することができる。
【００３９】
また、第１実施例のポータブルトイレ１００によれば、長尺木片１１２を含む取っ手部材１１０に前側短尺木片１１４が組み込んであるため、長尺木片１１２が前方突出取っ手として機能するときに、前側短尺木片１１４は長尺木片１１２を支える支持部材として機能するだけでなく、長尺木片１１２が起立した格納姿勢のときに、この前側短尺木片１１４を「短取っ手」として機能させることができる。
【００４０】
長尺木片１１２を格納して前側短尺木片１１４を短取っ手として機能させるとき、図１から直ちに分かるように、この前側短尺木片１１４と後側短尺木片１１６の下端部同士を互いに連結する補強用木片１１８は背もたれ１０６の前方位置で起立した姿勢を取る。ベッドに寝ている患者（使用者）は、この起立した補強用木片１１８を把持することで、身体をベッドサイドに移動する、或いは、身体を横向きに姿勢変換することができる。つまり、ベッドサイドに一般的に採用される柵の代わりに補強用木片１１８を使用して身体の移動や姿勢変換を行うことができる。この目的のために、実施例に含まれる補強用木片１１８は、手で把持するのに好都合な太さの木材が採用され且つ角を丸めた横断面円形の木片が採用されている。
【００４１】
このように、取っ手部材１１０を「前方突出取っ手」又は「短取っ手」として択一的に機能させるのに、リンク部材として機能する後側短尺木片１１６の長さＬ1と、前側短尺木片１１４と後側短尺木片１１６との間の離間距離Ｌ2とが略等しくなるように設定するのがよい（図３）。これにより、長尺木片１１２が「前方突出取っ手」として機能するときの高さ位置と、前側短尺木片１１４が「短取っ手」として機能するときの高さ位置とを略等しくすることができる。
【００４２】
取っ手部材１１０の変形例２１０を図４に示す。この変形例の取っ手部材２１０は相対的に短い長尺木片２１２を有し、それ以外は、図２に示す取っ手部材１１０と同じである。この変形例の取っ手部材２１０に含まれる長尺木片２１２は便座１０４の前後長さと略等しい。変形例の取っ手部材２１０を組み込むことにより、図１のポータブルトイレ１００は、前述した肘掛け取っ手を備えたトイレになる。
【００４３】
他の変形例のポータブルトイレ２００の基本構造を図５に示す。図５に示すポータブルトイレ２００は、図１に図示の便座１０４の前後長さと実質的に同じ長さ寸法を備えた長取っ手（肘掛け取っ手）２０２と、便座１０４の前後長さよりも短い短取っ手２０４とを備え、この短取っ手２０４は固定式である。
【００４４】
長取っ手２０２の後端部には、下方に延びるリンク部材２０６が固設され、このリンク部材２０６の下端にピボット軸１２４が配設されている。このピボット軸１２４に関し、例えば座部側壁ボード１０８（図１）から上方に延びる支柱部材２０８をポータブルトイレ２００の座部躯体構造の一部として採用し、この支柱部材２０８を座部側壁ボード１０８に固定して、この支柱部材２０８の上端にピボット軸１２４が設けられる。
【００４５】
長取っ手２０２のピボット軸１２４を短取っ手２０４の高さ位置よりも下方且つ背もたれ１０６よりも前方に位置決めしてあるため、図５に仮想線で示すように、長取っ手２０２を起立させて背もたれ１０６に沿って上下に延びる格納姿勢を取らせたときに、この長取っ手２０２の上端が背もたれ１０６から上方に突出してしまうのを防止することができる。
【００４６】
第２実施例（図６〜図１１）：
第２実施例のポータブルトイレ３００は、上述した第１実施例のポータブルトイレ１００に含まれる取っ手部材１１０を除いて、その他の構成は実質的に同じであることから、第１実施例のポータブルトイレ１００と同じ要素には同じ参照符合を付すことによりその説明を省略し、以下に第２実施例のポータブルトイレ３００の特徴部分を図６〜図１１を参照して説明する。
【００４７】
第２実施例のポータブルトイレ３００は取っ手部材３０２に特徴を有している。取っ手部材３０２は、長尺木片３０４と、この長尺木片３０４の長手方向中間部分から下方且つ斜め後方に延びる第１リンク木片３０６と、長尺木片３０４の後端部から下方且つ斜め前方に延びて第１リンク木片３０６の下端部に連なる第２リンク木片３０８とで骨格が作られ、これら３つの木片３０４、３０６、３０８で囲まれた三角形の空所は目隠しボード３１０で閉じられている。
【００４８】
取っ手部材３０２は、リンク木片３０６の下端部が、前述した躯体構造材である座部側壁ボード１０８の前後方向中間部分且つ上端から若干下位の高さレベルに揺動自在に連結されている。このピボット軸を参照符合１２４で図示してある。なお、必須ではないが、第１、第２のリンク木片３０６、３０８の下端の合流部分にはピン３１２が植設されている。他方、座部側壁ボード１０８にはアーチ溝３１４が形成され、このアーチ溝３１４によってピン３１２が案内されると共に、アーチ溝３１４の一端と他端でピン３１２が受け止められることによって第１、第２のリンク木片３０６、３０８の揺動範囲つまり取っ手部材３０２の揺動範囲が規定される。
【００４９】
取っ手部材３０２は、前述した第１実施例と同様に、長尺木片３０４が背もたれ１０６に沿って起立した格納態様(図９、図１０)と、長尺木片３０４が水平状態の長取っ手態様の二つの態様（図６、図７）をとることができる。背もたれ１０６の各側面に位置して背もたれ１０６の骨格を構成する背もたれ支柱１２８には、取っ手部材３０２を位置固定するためのピボット固定具３２０が配設されている。なお、図１０から最も良く分かるように、取っ手部材３０２が格納状態にあるときに起立姿勢の長尺木片３０４の上端が下端よりも前方に位置する傾斜した状態にあるが、この格納状態で長尺木片３０４が垂直に起立した状態となるように設定してもよい。
【００５０】
図９を参照して、ピボット固定具３２０は、操作ハンドル３２０ａと、この操作ハンドル３２０ａの軸部を中心に揺動可能な係止フラップ３２０ｂとで構成され、操作ハンドル３２０ａを一方向に回転させることで、係止フラップ３２０ｂを長尺木片３０４と係合させて起立状態の長尺木片３０４を位置固定することができる。操作ハンドル３２０ａを逆方向に回転させることで係止フラップ３２０ｂをリリースすることができる。このピボット固定具３２０は、長尺木片３０４が起立して取っ手部材３０２が格納態様をとるときに（図９、図１０）、この長尺木片３０４の長手方向中央部分と係合して長尺木片３０４を位置固定することができ、また、長尺木片３０４が水平状態となって取っ手部材３０２が長取っ手態様（図６、図７）をとるときに、長尺木片３０４の後端部と係合して、水平状態の長尺木片３０４を位置固定することができる。
【００５１】
図１０から最も良く分かるように、取っ手部材３０２の長尺木片３０４が起立した格納態様を取ったときに、第１のリンク部材３０６は背もたれ１０６から前方且つ斜め下方に位置しており、使用者はこの斜めに延びる第１リンク部材３０６を拠り所にしてベッドからポータブルトイレ３００へ移動することができる。つまり、この傾斜した第１リンク部材３０６は、第１実施例に含まれる短取っ手１１２、補強用木片１１４の機能と実質的に同じ機能を発揮する。
【００５２】
図７、図１０に見られる参照符号３２６は、便座１０４の上に載置されたクッションであり、このクッション３２６は、折り畳むことで、背もたれ１０６に格納することができる（図６、図９）。
【００５３】
図７から最も良く分かるように、長尺木片３０４は長取っ手態様をとったときに、便座１０４の前端から前方に突出する長さ寸法を有しているが、勿論、従来の肘掛け取っ手を備えたポータブルトイレとして使うのであれば、長尺木片３０４の長さ寸法を短縮して、この長尺木片３０４の長さ寸法を便座１０４の前後方向長さと略同一に設定すればよく、また、長尺木片３０４の長さ寸法は、長尺木片３０４の前端が便座１０４の前端よりも若干後方に位置する長さ寸法であってもよい。
【００５４】
図１１は第２実施例の変形例のポータブルトイレ４００を示す。このポータブルトイレ４００の取っ手部材４０２は、これに含まれる第１リンク木片４０４が上述した第２実施例に含まれる第１リンク木片３０６と形状が異なっているだけで他の要素は実質的に同じである。
【００５５】
変形例の取っ手部材４０２の第１リンク木片４０４は、側面視したときにＬ字状の形状を有し、取っ手部材４０２が格納態様（図１１）のときに、背もたれ１０６から便座１０４の長手方向途中部分まで水平方向に延びる短取っ手を構成するように作られている。この短取っ手として機能する部分を参照符号４０４ａで図示してある。また、格納態様の取っ手部材４０２を位置固定するためのボルト付きのハンドルノブ４０６が目隠しボード３１０に設けられているが、このハンドルノブ４０６を例えば第２リンク部材３０８に配置してもよい。
【００５６】
第２実施例及びその変形例(図６〜図１１)において、取っ手部材３０２、４０２から目隠しボード３１０を省いてもよいが、目隠しボード３１０を設けることによって、ポータブルトイレ３００、４００の使用者の臀部を隠すことができる。
【００５７】
図６、図９を再び参照して、取っ手部材３０２と座部側壁ボード１０８との間には、厚みを備えたスペーサ木片３３０が配設され、このスペーサ木片３３０を介して取っ手部材３０２がピボット軸１２４によって座部側壁ボード１０８に取り付けられている。より詳しくは、スペーサ木片３３０は前記取っ手部材３０２に固定されており、スペーサ木片３３０は取っ手部材３０２と一緒にピボット軸１２４を中心に揺動する。なお、上述したピン部材３１２はこのスペーサ木片３３０に取り付けられているが、取っ手部材３０２に取り付けてもよいのは勿論である。作図上の理由から図１１から必ずしも明確ではないが、この変形例のポータブルトイレ４００においても、取っ手部材４０２と座部側壁ボード１０８との間にスペーサ木片３３０が介在している。
【００５８】
このように座部側壁ボード１０８と、この座部側壁ボード１０８に対して揺動する取っ手部材４０２との間に、厚みを有するスペーサ木片３３０を介在させて、座部側壁ボード１０８と取っ手部材４０２との間に間隔を設けることにより、取っ手部材４０２を倒したときに、便座１０４の脇に置いた使用者の手が座部側壁ボード１０８と取っ手部材４０２との間に挟まれてしまうのを防止することができる。スペーサ木片３３０は安全性確保の観点から、その厚さ寸法を決定するのがよい。
【００５９】
また、取っ手部材３０２の骨格３０４、３０６、３０８で囲まれた空所を目隠しボード３１０で閉じることによって、この空所に使用者が手を差し入れるのを防止することができる。換言すれば、取っ手部材３０２に目隠しボード３１０を設けない場合には、骨格３０４、３０６、３０８で囲まれた空所に使用者が手を差し入れているのを知らずに取っ手部材４０２を上げ下げしてしまう可能性が有り、目隠しボード３１０を設けることで、この事態の発生を未然に防止することができる。
【産業上の利用可能性】
【００６０】
本発明は、自立支援の介護用品としてベッドの脇に設置するポータブルトイレに好適に適用される。
【符号の説明】
【００６１】
１００  第１実施例のポータブルトイレ
１０２  脚
１０４  便座
１０６  背もたれ
１０８  座部側壁ボード
１１０  取っ手部材
１１２  長尺木片（長尺部材）
１１４  前側短尺木片（前側短尺部材）
１１６  後側短尺木片（後側短尺部材）
１１８  補強用木片
１２０  第１の透孔
１２２  第２の透孔
１２４  取っ手部材の揺動中心（ピボット軸）
１２８  背もたれ支柱
３００  第２実施例のポータブルトイレ
３０２  取っ手部材
３０４  第１リンク木片
３０６  第２リンク木片
３１０  目隠しボード
３２０  ピボット固定具
３２０ａ  操作ハンドル
３２０ｂ  係止フラップ
Ｈ      ベッドサイドの高さレベル
Ｗ      矩形の便座の幅
【図１】
2011087927.tif 000003
【図２】
2011087927.tif 000004
【図３】
2011087927.tif 000005
【図４】
2011087927.tif 000006
【図５】
2011087927.tif 000007
【図６】
2011087927.tif 000008
【図７】
2011087927.tif 000009
【図８】
2011087927.tif 000010
【図９】
2011087927.tif 000011
【図１０】
2011087927.tif 000012
【図１１】
2011087927.tif 000013
【図１２】
2011087927.tif 000014